(57)【要約】      （修正有）【課題】杭本体とフランジ部が別体式で、フランジ部の杭本体に対する高さ調整を正確に、かつ、簡略容易に行うことができ、更に、杭・フランジ一体化構造の場合と同様な施工性を有し架台支持用として好適な高さ調整式杭を提供する。【解決手段】高さ調整式杭１は、例えば鋼管材料からなり中空円筒状で先端側を先細形状とした杭本体２と、この杭本体２の後端に組み込む高さ調整体１１と、を有している。前記杭本体２は、長さ方向略中央部から先端側の外周に公知のように螺旋状のスクリュー部３を設け、後端側端部に前記杭本体２の内径より小径のねじ孔を有する端部ナット（六角ナット）４を前記杭本体２と同心配置で溶接等により固着し、更に、前記端部ナット４の位置から所定寸法先端側に寄った位置に、長さ方向と直交する状態で対向配置にボルト締結受機構部５を設けた構成としている。端部ナット４を用いることにより、杭本体２の内周部に従来例のようなネジ部を設けなくてもよいという利点がある。【選択図】図１
0003194864.tif 000002
【実用新案登録請求の範囲】
【請求項１】
地中に打ち込まれるとともに、上端側で支持対象物を支持する高さ調整式杭であって、
中空状で、先端側の外周に螺旋状のスクリュー部を設け、後端側端部に端部ナットを固着し、前記端部ナットの位置から所定寸法先端側に寄った位置に長さ方向と直交する状態で対向配置に設けたボルト締結受機構部を有する杭本体と、
杭打機結合用、かつ、支持対象物支持用のフランジ部と、このフランジ部と一体化して突設されるとともに、外周に前記端部ナットに螺合される外周ネジを具備し、突出端の近傍位置にボルト貫通用孔部を具備し、杭本体内に挿通される杭本体内挿入体と、を有し、端部ナット、外周ネジの螺合位置調整によりフランジ部の端部ナットに対する高さ位置を調整可能とした高さ調整体と、
前記杭本体内挿入体の外周ネジに螺着したロックナットと、
前記高さ調整体の杭本体内挿入体を杭本体内に挿入した状態で、杭本体内挿入体を貫通させ、前記ボルト締結受機構部に締着することで前記フランジ部を備える高さ調整体を杭本体に対して定位置に固定する一体化ボルト又は当該一体化ボルトと同じような形態のピンと、
を有することを特徴とする高さ調整式杭。
【請求項２】
地中に打ち込まれるとともに、上端側で太陽光電池パネルを載せる架台を高さ調整可能に支持する高さ調整式杭であって、
中空状で、先端側の外周に螺旋状のスクリュー部を設け、後端側端部に端部ナットを固着し、前記端部ナットの位置から所定寸法先端側に寄った位置に長さ方向と直交する状態で対向配置に設けたボルト締結受機構部を有する杭本体と、
杭打機結合用、かつ、架台支持用のフランジ部と、このフランジ部と一体化して突設されるとともに、外周に前記端部ナットに螺合される外周ネジを具備し、突出端の近傍位置にボルト貫通用孔部を具備し、杭本体内に挿通される杭本体内挿入体と、を有し、端部ナット、外周ネジの螺合位置調整によりフランジ部の端部ナットに対する高さ位置を調整可能とした高さ調整体と、
前記杭本体内挿入体の外周ネジに螺着したロックナットと、
前記高さ調整体の杭本体内挿入体を杭本体内に挿入した状態で、杭本体内挿入体を貫通させ、前記ボルト締結受機構部に締着することで高さ調整体を杭本体に対して定位置に固定する一体化ボルト又は当該一体化ボルトと同じような形態のピンと、
を有することを特徴とする高さ調整式杭。
【請求項３】
前記一体化ボルト又は当該一体化ボルトと同じような形態のピンは、前記高さ調整体の杭本体内挿入体を杭本体内に挿入し、前記ボルト貫通用孔部の位置と前記ボルト締結受機構部との位置が合致した状態で、杭本体及び杭本体杭本体内挿入体を貫通させボルト締結受機構部に締着することで、前記フランジ部を備える高さ調整体を杭本体に対して定位置に固定するものである請求項１又は２のいずれかに記載の高さ調整式杭。
【請求項４】
前記一体化ボルト又は当該一体化ボルトと同じような形態のピンは、杭打機により杭本体を地中に打ち込む際に、杭打機の回転力を高さ調整体を介して杭本体に伝達する機能を有することを特徴とする請求項１乃至３のいずれか１項に記載の高さ調整式杭。
【請求項５】
前記ボルト締結受機構部は、杭本体に設けた一対の孔部の外側位置に各々固定配置した座金及び固定ナットであることを特徴とする請求項１乃至４のいずれか１項に記載の高さ調整式杭。
【請求項６】
前記ロックナットは、フランジ部を杭本体に対して高さ寸法小に調整する際に、高さ寸法最小限とする位置決め機能を発揮することを特徴とする請求項１乃至５のいずれか１項に記載の高さ調整式杭。
【考案の詳細な説明】
【技術分野】
【０００１】
本考案は、高さ調整式杭に関し、詳しくは、例えば太陽光発電パネルを設置する際の架台等のような支持対象物の高さ調整を可能にしつつ支持する高さ調整式杭に関するものである。
【背景技術】
【０００２】
従来、例えば、太陽光発電パネルを設置する架台を地面上に設置する際には、架台を地面上の所定の高さで支持するために多数の杭を地面内に打ち込むことが必要となる。
【０００３】
このような杭としては、フランジ一体型スクリュー杭や、杭とフランジが別体で、ネジ調整によりフランジの杭端部に対する位置を調整可能とした調整式杭が知られている。
【０００４】
通常のフランジ一体型スクリュー杭の場合、設置したスクリュー杭に太陽光発電パネル用の架台を載せた後にスクリュー杭の高さを調整することは実質不可能なので、スクリュー杭の設置時に厳密、かつ、煩雑な高さ調整が必要であった。
【０００５】
一方、杭とフランジが別体式で任意位置でネジ固定可能な調整式の杭については、杭部分だけを設置した後にフランジ部分を挿入して仮固定し、架台設置後に高さ調整して固定する必要があり、設置と調整に多くの手間を必要としていた。
【０００６】
また、杭とフランジをネジ固定する際に外側３方向からネジを締めこむため、長期の使用環境でネジの緩みや錆発生により、架台の重量に耐えられずにフランジ部分が落下する危険性があった。
【０００７】
特許文献１には、中空部を有する杭本体と、上記杭本体の先端側の外周に設けられた螺旋状の羽根部と、上記杭本体の先端側の外周に上記杭本体の中空部と外部とが連通するように形成され、上記杭本体の内部に注入されたグラウト材を外部に吐出する連通孔と、上記杭本体の基端部に設けられ、上記架台が配置されて締結される締結フランジ部とを備える構成の太陽電池モジュールが設置された架台を支持する基礎杭、更には、先端部が上記杭本体の内面に形成されたネジ部に螺合され、上記架台が配置されて締結される第２の調整部材を更に備える基礎杭が提案されている。
【０００８】
しかし、特許文献１の基礎杭の場合、締結フランジ部が杭本体と一体であるため架台の高さ調整ができないか、又は、架台の高さ調整を、杭本体の内面に形成されたネジ部と、第２の調整部材の外面のネジ部とのネジ結合位置の変更のみにより行う構造であることから、高さ調整の正確性を欠き、個々の基礎杭の締結フランジ部の高さにばらつきが生じ易く、多数の基礎杭を分散配置に列設してこれらの上に架台を設置する場合に、均等な高さとしようとする各基礎杭の高さの統一性を実現することは容易ではないという問題を包含している。
【先行技術文献】
【特許文献】
【０００９】
【特許文献１】登録実用新案第３１８３７２２号公報
【考案の概要】
【考案が解決しようとする課題】
【００１０】
本考案が解決しようとする問題点は、杭本体とフランジ部が別体式でありながら、フランジ部の杭本体に対する高さ調整を正確に、かつ、簡略容易に行うことができ、更に、杭・フランジ一体化構造の場合と同様な施工性を有するような高さ調整式杭が従来存在しない点である。
【課題を解決するための手段】
【００１１】
本考案に係る高さ調整式杭は、地中に打ち込まれるとともに、上端側で支持対象物を支持する高さ調整式杭であって、中空状で、先端側の外周に螺旋状のスクリュー部を設け、後端側端部に端部ナットを固着し、前記端部ナットの位置から所定寸法先端側に寄った位置に長さ方向と直交する状態で対向配置に設けたボルト締結受機構部を有する杭本体と、杭打機結合用、かつ、支持対象物支持用のフランジ部と、このフランジ部と一体化して突設されるとともに、外周に前記端部ナットに螺合される外周ネジを具備し、突出端の近傍位置にボルト貫通用孔部を具備し、杭本体内に挿通される杭本体内挿入体と、を有し、端部ナット、外周ネジの螺合位置調整によりフランジ部の端部ナットに対する高さ位置を調整可能とした高さ調整体と、前記杭本体内挿入体の外周ネジに螺着したロックナットと、前記高さ調整体の杭本体内挿入体を杭本体内に挿入した状態で、杭本体内挿入体を貫通させ、前記ボルト締結受機構部に締着することで前記フランジ部を備える高さ調整体を杭本体に対して定位置に固定する一体化ボルト又は当該一体化ボルトと同じような形態のピンと、を有する構成したことを最も主要な特徴とする。
【考案の効果】
【００１２】
請求項１記載の考案によれば、杭本体とフランジ部が別体式でありながら、フランジ部の杭本体に対する高さ調整を正確に、かつ、簡略容易に行うことができ、更に、フランジ部を備える高さ調整体を杭本体に対して定位置に固定支持することもでき、杭・フランジ一体化構造の場合と同様な施工性を有し、各種支持対象物の支持用として好適な高さ調整式杭を実現し提供することができる。
【００１３】
請求項２記載の考案によれば、杭本体とフランジ部が別体式でありながら、フランジ部の杭本体に対する高さ調整を正確に、かつ、簡略容易に行うことができ、更に、フランジ部を備える高さ調整体を杭本体に対して定位置に固定支持することもでき、杭・フランジ一体化構造の場合と同様な施工性を有し、太陽光発電パネルを載せる架台の支持用として好適な高さ調整式杭を実現し提供することができる。
【００１４】
請求項３記載の考案によれば、請求項１又は２のいずれかに記載の考案の効果を奏するとともに、前記高さ調整体の杭本体内挿入体を杭本体内に挿入し、前記ボルト貫通用孔部の位置と前記ボルト締結受機構部との位置が合致した状態で、杭本体及び杭本体杭本体内挿入体を貫通させボルト締結受機構部に締着することで、前記フランジ部を備える高さ調整体を杭本体に対して定位置に固定する一体化ボルト又は当該一体化ボルトと同じような形態のピンを備えることから、フランジ部を備える高さ調整体を杭本体に対して定位置に確実に固定支持することができ、かつ、一体化ボルト又は当該一体化ボルトと同じような形態のピンのボルト締結受機構部からの取り外しも容易で、高さ調整体の杭本体に対する一体化と、高さ調整体の杭本体に対する高さ調整の容易化とを実現できる高さ調整式杭を実現し提供することができる。
【００１５】
請求項４記載の考案によれば、請求項１乃至３のいずれか１項に記載の考案の効果を奏するとともに、前記一体化ボルト又は当該一体化ボルトと同じような形態のピンが、杭打機により杭本体を地中に打ち込む際に、杭打機の回転力を高さ調整体を介して杭本体に伝達する機能を有することから、杭本体の地中への打ち込み施工の確実化を図ることができる高さ調整式杭を実現し提供することができる。
【００１６】
請求項５記載の考案によれば、請求項１乃至４のいずれか１項に記載の考案の効果を奏するとともに、前記ボルト締結受機構部を、杭本体に設けた一対の孔部の外側位置に各々固定配置した座金及び固定ナットにより構成したことから、前記一体化ボルト又は当該一体化ボルトと同じような形態のピンを杭本体に確実強固に締結し、また、一体化ボルト又は当該一体化ボルトと同じような形態のピンの取り外しも容易な機能を発揮させることができる高さ調整式杭を実現し提供することができる。
【００１７】
請求項６記載の考案によれば、請求項１乃至５のいずれか１項に記載の考案の効果を奏するとともに、前記ロックナットが、フランジ部を杭本体に対して高さ寸法小に調整する際に、高さ寸法最小限とする位置決め機能を発揮することから、フランジ部を杭本体に対して高さ寸法最小限に設定する際の作業性の簡略化を図ることができる高さ調整式杭を実現し提供することができる。
【図面の簡単な説明】
【００１８】
【図１】図１は本考案の実施例に係る高さ調整式杭の概略断面図である。
【図２】図２は本実施例に係る高さ調整式杭の杭本体、高さ調整体の部分拡大断面図である。
【図３】図３は本実施例に係る高さ調整式杭のフランジ部を示す拡大平面図である。
【図４】図４は本実施例に係る高さ調整式杭の杭本体、高さ調整体を分離した状態の部分拡大断面図である。
【図５】図５は本実施例に係る高さ調整式杭においてフランジ部の杭本体からの高さ調整を行った状態を示す部分拡大断面図である
【図６】図６は本実施例に係る高さ調整式杭の使用態様の一例を示す概略側面図である。
【考案を実施するための形態】
【００１９】
本考案は、本考案が解決しようとする問題点は、杭本体とフランジ部が別体式でありながら、支持対象物である架台の高さ調整が簡略容易であり、かつ、杭・フランジ一体化構造の場合と同様な施工性を有する高さ調整式杭を提供するという目的を、地中に打ち込まれるとともに、上端側で太陽光電池パネルを載せる架台を高さ調整可能に支持する高さ調整式杭であって、中空状で、先端側の外周に螺旋状のスクリュー部を設け、後端側端部に端部ナットを固着し、前記端部ナットの位置から所定寸法先端側に寄った位置に長さ方向と直交する状態で対向配置に設けたボルト締結受機構部を有する杭本体と、杭打機結合用、かつ、架台支持用のフランジ部と、このフランジ部と一体化して突設されるとともに、外周に前記端部ナットに螺合される外周ネジを具備し、突出端の近傍位置にボルト貫通用孔部を具備し、杭本体内に挿通される杭本体内挿入体と、を有し、端部ナット、外周ネジの螺合位置調整によりフランジ部の端部ナットに対する高さ位置を調整可能とした高さ調整体と、前記杭本体内挿入体の外周ネジに螺着したロックナットと、前記高さ調整体の杭本体内挿入体を杭本体内に挿入した状態で、杭本体内挿入体を貫通させて、前記ボルト締結受機構部に締着することで高さ調整体を杭本体に対して定位置に固定する一体化ボルト又は当該一体化ボルトと同じような形態のピンと、を有する構成により実現した。
【実施例】
【００２０】
以下、本考案の実施例に係る高さ調整式杭について図面を参照して詳細に説明する。
【００２１】
本実施例に係る高さ調整式杭１は、図１乃至図４に示すように、例えば鋼管材料からなり中空円筒状で先端側を先細形状とした杭本体２と、この杭本体２の後端に組み込む高さ調整体１１と、を有している。
【００２２】
前記杭本体２は、長さ方向略中央部から先端側の外周に公知のように螺旋状のスクリュー部３を設け、後端側端部に前記杭本体２の内径より小径のねじ孔を有する端部ナット（六角ナット）４を前記杭本体２と同心配置で溶接等により固着し、更に、前記端部ナット４の位置から所定寸法先端側に寄った位置に、長さ方向と直交する状態で対向配置にボルト締結受機構部５を設けた構成としている。端部ナット４を用いることにより、杭本体２の内周部に従来例のようなネジ部を設けなくてもよいという利点がある。
【００２３】
なお、図示中の符号９は溶融亜鉛メッキの処理時にメッキ液を抜くために必要な抜き穴である。
【００２４】
前記ボルト締結受機構部５は、図４に示すように、杭本体２に対してその径方向で対向配置に設けた一対の孔部６ａ、６ｂの外側位置で、一方の孔部６ａと同心配置に座金７を溶接等により固着し、また、他方の孔部６ｂと同心配置に固定ナット（六角ナット）８を固着し、後述する一体化ボルト２１を座金７側から杭本体２内を経て固定ナット８に螺合し締め付けることが可能な構造としている。
【００２５】
本考案においては、前記一体化ボルト２１に代替して、当該一体化ボルトと同じような形態の差込み式のピンを用いて実施しても良い。
【００２６】
前記高さ調整体１１は、図示しない杭打機との結合用で、かつ、支持対象物である架台３１がその上面側に設置される円板状のフランジ部１２と、このフランジ部１２により一体化されるとともに、フランジ部１２の中央位置から直交配置に突設された円筒状の杭本体内挿入体１５と、を具備している。
【００２７】
前記フランジ部１２は、中心に関して一定間隔を有する放射状配置に例えば８個の長穴１４を設け、この各長穴１４を杭打機との結合用として、また、架台３１との連結用として機能させるように構成している。なお、図示中の符号１３は溶融亜鉛メッキの処理時にメッキ液を抜くための中心穴である。
【００２８】
すなわち、前記フランジ部１２に設けた長穴１４は、図示しないが杭打機に設けた杭本体２を回転駆動するためのピンが結合されるものであるとともに、前記フランジ部１２上に架台３１を設置する際にボルト等の挿通穴としても機能するものである。
前記杭本体内挿入体１５は、外周に前記端部ナット４に螺合される外周ネジ１６を具備するとともに、その突出端の近傍位置の肉厚部に径方向中心に関して対向配置に一対のボルト貫通用孔部１７ａ、１７ｂを設けた構成としている。
【００２９】
また、前記外周ネジ１６に対してロックナット（六角ナット）１８を螺着する構成としている。
【００３０】
本実施例に係る高さ調整式杭１は、更に、一体化ボルト２１を備えている。前記したように、本考案においては、前記一体化ボルト２１に代替して、当該一体化ボルトと同じような形態の差込み式のピンを用いて実施しても良い。
【００３１】
この一体化ボルト（又は当該一体化ボルトと同じような形態のピン）２１は、前記高さ調整体１１の杭本体内挿入体１５を杭本体２内に挿入し、前記ボルト貫通用孔部１７ａ、１７ｂの位置と、前記ボルト締結受機構部５の座金７及び固定ナット８との位置が合致した状態で、座金７側から前記ボルト貫通用孔部１７ａ、１７ｂを貫通させ固定ナット８に螺着し、締着するものである。
【００３２】
これにより、図１、図２に示すように、前記フランジ部１２を備える高さ調整体１１を、杭本体２に対して定位置（前記端部ナット４の端面からフランジ部１２までの高さ寸法Ｈ０を予め定めた一定寸法）に固定し、前記杭本体２と高さ調整体１１とを一体化するように構成している。
【００３３】
また、前記一体化ボルト（又は当該一体化ボルトと同じような形態のピン）２１は、杭打機により杭本体２を地中に打ち込む際に、杭打機の回転力を高さ調整体１１を介して杭本体２に伝達する機能も発揮する。
【００３４】
次に、本実施例に係る高さ調整式杭１における高さ調整体１１の杭本体２に対する高さ調整態様について図５を参照して説明する。
【００３５】
図５左欄は前記フランジ部１２の前記端部ナット４の端面からの高さ寸法Ｈ１に調整した状態を示し、図５右欄は前記端部ナット４の端面からの高さ寸法Ｈ２（Ｈ２＞Ｈ１）に調整した状態を示している。
【００３６】
具体的に説明すると、図１、図２に示す状態から、一体化ボルト（又は当該一体化ボルトと同じような形態のピン）２１を緩め杭本体２から外した後、前記フランジ部１２を回転させて高さ調整体１１の杭本体内挿入体１５を杭本体２内に更に進入させて、ロックナット１８が端部ナット４の端面に当接する状態とし、この状態でロックナット１８を締め付ける。
【００３７】
これにより、前記フランジ部１２の前記端部ナット４の端面からの高さは、当初の高さ寸法Ｈ０の状態から高さ寸法Ｈ１に調整される（高さ小）。
【００３８】
この場合、前記ロックナット１８は、フランジ部１２を杭本体２に対して高さ寸法小に調整する際に、端部ナット４の端面に当接することで、高さ寸法最小限とする位置決め機能を発揮するものである。
【００３９】
逆に、図２に示す状態から、一体化ボルト（又は当該一体化ボルトと同じような形態のピン）２１を緩め杭本体２から外した後、前記フランジ部１２を上述した場合とは逆方向に回転させて高さ調整体１１の杭本体内挿入体１５が杭本体２から更に突出する状態とし、前記フランジ部１２の前記端部ナット４の端面からの高さを所望の高さ寸法Ｈ２とし、ロックナット１８を外周ネジ１６の回りで回転させてロックナット１８を端部ナット４側に締め付ける。
【００４０】
これにより、前記フランジ部１２の前記端部ナット４の端面からの高さは、当初の高さ寸法Ｈ０の状態から高さ寸法Ｈ２に調整される（高さ大）。
このようにして、前記フランジ部１２の杭本体２からの高さを簡略容易に高さ小、高さ大のように所望の高さに調整し、かつ、高さ変更位置において端部ナット４、ロックナット１８からなる強固な二重ナット締結構造にて杭本体２と高さ調整体１１とを連結することができる。
【００４１】
次に、図６を参照して本実施例に係る高さ調整式杭１の具体的使用態様の一例について説明する。
【００４２】
図６は、本実施例に係る高さ調整式杭１を用いて、支持対象物である架台３１、太陽光発電パネル３２を、当初、一端水平配置に支持した状態から、図示するように傾斜配置に支持するようにした状態の側面図を示すものである。
【００４３】
すなわち、前記フランジ部１２の前記端部ナット４の端面からの高さ寸法Ｈ１に調整した高さ調整式杭１と、同じく高さ寸法Ｈ２に調整した高さ調整式杭１とを所定の間隔で地面３３から地中３４に垂直に、かつ、前記端部ナット４の位置が地面３３から同一高さとなるようにして打ち込み、両高さ調整式杭１上に架台３１、太陽光発電パネル３２を傾斜配置に設置している。
【００４４】
この場合、前記両高さ調整式杭１の各フランジ部１２は水平配置となるため、架台３１の底面両隅部に各フランジ部１２との接合用の水平受段部３１ａ、３１ｂを設けて、前記両高さ調整式杭１上に架台３１を安定して設置するようにすることもできる。
【００４５】
前記高さ調整式杭１の具体的使用態様について更に説明すると、図示しない杭打機で前記フランジ部１２を回転駆動し、高さ調整式杭１を地中３４に打ち込む。
【００４６】
すなわち、杭打機に設けた２本又は４本のピンをフランジ部１２の長穴１４に装着しフランジ部１２を回転駆動する。
【００４７】
次に、高さ調整式杭１のフランジ部１２上に太陽光発電パネル３２の架台３１を組み立てる。
【００４８】
この場合、高さ調整式杭１の高さ調整が必要な場合は、一体化ボルト（又は当該一体化ボルトと同じような形態のピン）２１を緩めて取り外し、フランジ部１２を回転すると、高さ小、高さ大のように所望の高さに調整が上昇し、又は、下降してフランジ部１２の高さを高さ大、高さ小のように所望の範囲で調整することができ、これにより、架台３１の支持高さを所望の位置に設定することができる。
る。
【００４９】
なお、高さに調整範囲の寸法は、高さ調整式杭１の仕様で定まるものであり、特に限定するものではない。
【００５０】
前記フランジ部１２の高さが所定の高さとなった状態で前記ロックナット１８を締め込んで、端部ナット４、ロックナット１８からなる強固な二重ナット締結構造の基に高さ調整式杭１により架台３１を安定状態で支持する。
【００５１】
なお、ロックナット１８を締め込まなくても、前記高さ調整式杭１により架台３１を安定状態で支持することが可能である。
【００５２】
以上説明した本実施例の高さ調整式杭１によれば、杭本体２とフランジ部１２が別体式でありながら、フランジ部１２の杭本体２に対する高さ調整を正確に、かつ、簡略容易に行うことができ、更に、杭・フランジ一体化構造の場合と同様な施工性を発揮させることができる。
【００５３】
更に、詳述すると、以下に述べるような種々の効果を発揮させることができる。
【００５４】
（ａ）施工実施時における杭打機の回転力を前記高さ調整体１１を介して一体化ボルト（又は当該一体化ボルトと同じような形態のピン）２１により受けることで、杭・フランジ一体型の杭の場合と同等な施工性を実現できる。
【００５５】
（ｂ）高さ調整式杭１の高さ調整は、一体化ボルト（又は当該一体化ボルトと同じような形態のピン）２１を取り外した後、フランジ部１２を回転するだけで実行でき、極めて簡略容易である。
【００５６】
（ｃ）高さ調整後の位置決め固定はロックナット１８を締めるだけで済むため、極めて簡略容易である。
【００５７】
（ｄ）架台３１を載せた後でも、高さ調整式杭１の高さを容易に調整、固定できるために、太陽光発電パネル３２の設置工事の作業性が向上する。
【００５８】
（ｅ）高さ調整式杭１の高さ調整は、ネジ調整式を採用し、調整後は二重ナット締結構造にて荷重を支持するため、高さ調整式杭１の高さを調整した後、長期に渡って架台３１や太陽光発電パネル３２による荷重を安定確実に支持することができる。
【００５９】
（ｆ）高さ調整式杭１の高さ調整をネジ回転で行うため、簡略容易に高さの微調整を実施できる。
【００６０】
（ｇ）全体として、構造がシンプルで剛性が高く、杭・フランジ一体化構造の場合と同等の機能を発揮させることができる。
【産業上の利用可能性】
【００６１】
本考案の高さ調整式杭は、上述したような太陽光発電パネル３２用の架台３１を支持する用途の他に、杭上に仮設建物等のような構造物、物体等を水平配置に又は傾斜配置に支持するような用途に広範に適用可能である。
【符号の説明】
【００６２】
１    高さ調整式杭
２    杭本体
３    スクリュー部
４    端部ナット
５    ボルト締結受機構部
６ａ  孔部
６ｂ  孔部
７    座金
８    固定ナット
９    抜孔
１１    高さ調整体
１２    フランジ部
１３    中心孔
１４    長穴
１５    杭本体内挿入体
１６    外周ネジ
１７ａ  ボルト貫通用孔部
１７ｂ  ボルト貫通用孔部
１８    ロックナット
２１    一体化ボルト
３１    架台
３１ａ  水平受段部
３１ｂ  水平受段部
３２    太陽光発電パネル
３３    地面
３４    地中
【図１】
0003194864.tif 000003
【図２】
0003194864.tif 000004
【図３】
0003194864.tif 000005
【図４】
0003194864.tif 000006
【図５】
0003194864.tif 000007
【図６】
0003194864.tif 000008